(57)【要約】【課題】タッチパネル等といった入力装置を備えた電気光学装置及び電子機器において、電気光学装置の表示を鮮明に見ることを可能にし、しかも入力装置についての修理や交換等といったメンテナンスの作業を容易に行えるようにする。【解決手段】表示面１６に像を表示する液晶パネル４と、透光性を持った面状の入力領域Ｖｉを備えたタッチパネル３１とを有する液晶表示装置１である。タッチパネル３１は外装ケース３２及びヒンジ部４９によって液晶パネル４に開閉可能に支持される。タッチパネル３１は、閉位置Ｐ２において表示面１６を覆うことができる。また、タッチパネル３１は、開位置Ｐ１において表示面１６を外部へ露出させることができる。【選択図】図１
2006277739.tif 000002
【特許請求の範囲】
【請求項１】
表示面に像を表示する電気光学パネルと、
透光性を持った面状の入力領域を備えた入力手段と、
該入力手段を支持する支持手段と、を有し、
該支持手段は、前記入力手段を、前記表示面を覆う閉位置と、前記表示面を外部へ露出させる開位置との間で開閉可能に支持する
ことを特徴とする電気光学装置。
【請求項２】
請求項１記載の電気光学装置において、前記支持手段は、前記表示面に対して平行な軸線を中心として前記入力手段と前記電気光学パネルとを相対的に回転させることにより前記入力手段を開閉可能に支持することを特徴とする電気光学装置。
【請求項３】
請求項１記載の電気光学装置において、前記支持手段は、前記表示面に対して直角な軸線を中心として前記入力手段と前記電気光学パネルとを相対的に回転させることにより前記入力手段を開閉可能に支持することを特徴とする電気光学装置。
【請求項４】
請求項２又は請求項３記載の電気光学装置において、
前記支持手段は、
前記電気光学パネル又は前記入力手段の一方と一体であって前記軸線に沿って延びる軸部材と、
前記電気光学パネル又は前記入力手段の他方と一体であって前記軸部材に嵌合する穴と、
前記軸部材に設けられていて前記電気光学パネル又は前記入力手段の一方に電気的につながる第１端子と、
前記穴に設けられていて前記電気光学パネル又は前記入力手段の他方に電気的につながる第２端子と、を有し、
前記第１端子と前記第２端子とが接触することにより前記電気光学パネルと前記入力手段とが電気的に接続する
ことを特徴とする電気光学装置。
【請求項５】
請求項１記載の電気光学装置において、前記支持手段は、前記入力手段と前記電気光学パネルとを相対的に平行移動させることにより前記入力手段を開閉可能に支持することを特徴とする電気光学装置。
【請求項６】
請求項１から請求項５のいずれか１つに記載の電気光学装置において、前記入力手段は、前記閉位置にあるときに電源オン状態になり、前記開位置にあるときに電源オフ状態になることを特徴とする電気光学装置。
【請求項７】
請求項１から請求項６のいずれか１つに記載の電気光学装置において、
前記支持手段に前記入力手段とともに開閉可能に支持されてなり、前記入力手段が前記閉位置にある時に前記表示面と平面的に重なる反射偏光子を有することを特徴とする電気光学装置。
【請求項８】
請求項１から請求項６のいずれか１つに記載の電気光学装置において、
前記入力手段は、反射偏光子を備え、
前記反射偏光子は、前記入力手段が前記閉位置にある時に前記表示面と平面的に重なることを特徴とする電気光学装置。
【請求項９】
請求項７又は請求項８に記載の電気光学装置において、
前記電気光学パネルに光を入射させる照明装置を有し、
前記照明装置から出射された光が前記電気光学パネルに入射し、前記入力手段を透過して観察される観察モードと、
前記照明装置から光が出射されず、観察側から前記反射偏光子に入射した光が前記反射偏光子で反射されて観察されるミラーモードと、を備えることを特徴とする電気光学装置。
【請求項１０】
表示面に像を表示する電気光学パネルと、
透光性を持った面状の入力領域を備えた入力手段と、
該入力手段を着脱可能に支持する支持手段と、を有し、
該支持手段に装着された前記入力手段は前記表示面を覆う
ことを特徴とする電気光学装置。
【請求項１１】
請求項１０記載の電気光学装置において、前記支持手段は、前記入力手段を収容する入力手段用ケースと、前記電気光学パネルを収容するパネル用ケースと、前記入力用ケースと前記パネル用ケースとを着脱可能に連結する連結手段と、を有することを特徴とする電気光学装置。
【請求項１２】
請求項１１記載の電気光学装置において、前記入力手段は前記支持手段に装着されたときに電源オン状態になり、前記入力手段は前記指示手段から取り外されたときに電源オフ状態になることを特徴とする電気光学装置。
【請求項１３】
請求項１から請求項１２のいずれか１つに記載の電気光学装置を有することを特徴とする電子機器。
【発明の詳細な説明】
【技術分野】
【０００１】
本発明は、液晶表示装置等といった電気光学装置に関する。また、本発明は、その電気光学装置を用いて構成される電子機器に関する。
【背景技術】
【０００２】
現在、携帯電話機、携帯情報端末機等といった各種の電子機器に液晶表示装置等といった電気光学装置が広く用いられている。例えば、電子機器に関する種々の情報を画像として表示するために電気光学装置が用いられている。この電気光学装置は、一般に、表示部を構成する電気光学パネルを有し、この電気光学パネルは、電気的な入力を制御することにより光学的な出力を制御して表示を行う。
【０００３】
上記の電気光学装置を用いた電子機器として、従来、入力手段としてのタッチパネルを用いたものが知られている。このタッチパネルは、例えば、透光性のプラスチック等によって形成された基板と、透光性のフィルムとを所定の隙間を開けて互いに貼り合わせることによって形成される。このタッチパネルは、通常、上記のフィルムが表側の面となるように電気光学パネルの表示面の上に設置される。
【０００４】
上記タッチパネルにおいて互いに貼り合わされた上記基板及び上記フィルムは、例えば、互いに対向する面に電極を有する。オペレータが上記フィルムの適所をペン型器具等といった入力器具を用いて、あるいは、オペレータ自身の指によって押すと、上記一対の電極がその押された位置において点状に接触する。この場合、これらの電極間に所定の電圧を印加しておけば、当該接触位置において上記一対の電極が点状にショート、すなわち短絡する。
【０００５】
一対の電極がそのようにショートすると、それらの電極間に印加した電圧がそのショートした位置に応じて変化するので、その電圧変化を検出すればフィルム上のどの位置が押されたかを知ることができる。このタッチパネルは、従来、電子機器としての携帯情報端末機等の適所に設けられた液晶表示装置の表示面に、容易には取り外すことができない状態で貼り付けられていた（例えば、特許文献１又は特許文献２参照）。
【０００６】
【特許文献１】特開平９−０６２１９８号公報（第４頁、図１）
【特許文献２】特開平９−０６５４３７号公報（第４頁、図１）
【発明の開示】
【発明が解決しようとする課題】
【０００７】
ところで、特許文献１又は特許文献２に開示された携帯情報端末機等といった電子機器においては、タッチパネルが液晶表示装置の表示面に固定的に貼り付けられているので、その電子機器に関する表示は、常に、タッチパネルを通して観察されていた。このため、観察者側から電子機器へ入射する光がタッチパネルで反射する等の理由により、電気光学装置の表示が見難くなるおそれがあった。また、電子機器に衝撃が加わる等の理由によりタッチパネルが破損した場合には、タッチパネルを修理、交換等する必要があるが、その修理、交換等を行うことが非常に難しかった。
【０００８】
本発明は、上記の問題に鑑みて成されたものであて、タッチパネル等といった入力手段を備えた電気光学装置及び電子機器において、電気光学装置の表示を鮮明に見ることを可能にし、しかも、入力手段についての修理や交換等といったメンテナンスの作業を容易に行えるようにすることを目的とする。また、上記電気光学装置及び電子機器に鏡としての機能を付加することを目的とする。
【課題を解決するための手段】
【０００９】
本発明に係る第１の電気光学装置は、表示面に像を表示する電気光学パネルと、透光性を持った面状の入力領域を備えた入力手段と、該入力手段を支持する支持手段と、を有し、該支持手段は、前記入力手段を、前記表示面を覆う閉位置と、前記表示面を外部へ露出させる開位置との間で開閉可能に支持することを特徴とする。
【００１０】
上記構成において、電気光学パネルは、電気的な入力条件を制御することにより、光学的な出力状態を変化させることができるパネル構造体である。また、電気光学パネルは、液晶等といった電気光学物質を含むパネル構造体であって、その電気光学物質の電気光学的な作用を利用して表示を実現するものである。この電気光学パネルは、例えば、ガラス等から成る基板上に電気光学物質を配置したり、一対の基板間に電気光学物質を封入することによって形成される。この電気光学物質として、例えば液晶を用いれば、電気光学パネルとしての液晶パネルが構成される。
【００１１】
上記入力手段は、電気的要素及び光学的要素を用いて構成できる。例えば、抵抗膜方式のタッチパネルと呼ばれる入力装置を用いて本発明における入力手段を構成するものとすれば、その入力手段は、第１の基板と、その第１の基板に対向して且つ隙間を空けて設けられた第２の基板と、それらの基板のうち互いに対向する表面に設けられた面電極とを有する。
【００１２】
この入力手段の入力領域の横方向をＸ方向とし、それに直交する縦方向をＹ方向とするとき、上記の第２基板の表面の適所をペン型入力器具等といった入力機器で押してその押圧点で両方の面電極を接触させ、その接触点における面電極のＸ方向の抵抗値及びＹ方向の抵抗値を測定することにより、その押圧点の座標値（Ｘ，Ｙ）を検出できる。
【００１３】
このような入力手段は、従来、電気光学パネルの表示面に固定的に貼り付けられていた。従って、観察者はその表示面における表示を常に入力手段を通して観察していた。この観察の際、外部からの光が入力手段で反射して電気光学パネルの表示面に表示された像が見難くなるおそれがあった。
【００１４】
この点に関して、上記構成の第１の電気光学装置によれば、入力手段を電気光学パネルに対して開閉可能に構成したので、入力手段を電気光学パネルの表示面を覆う位置に置くこともでき、あるいは、その表示面を開放する位置に入力手段を置くこともできる。例えば、入力手段を用いて入力操作を行う場合には、電気光学パネルの表示面を入力手段で覆うこと、つまり、入力手段を閉位置に置くことにより、入力操作を行うことができる。一方、入力手段を使用することなく表示を観察したい場合には、入力手段を開位置へ開いて表示面を外部へ露出させる。こうすれば、入力手段で光が反射する等の理由によって電気光学パネルの表示が見難くなることを防止できる。
【００１５】
また、本発明に係る入力手段にはペン等といった入力器具が直接に接触するので、この入力手段は電気光学装置を構成する他の要素に比べて破損し易い。しかしながら、従来の入力手段は、電気光学パネルの表示面の上に固定的に貼り付けられていたので、入力手段が破損した場合に修理や交換等といった、いわゆるメンテナンス作業を行うことが難しかった。
【００１６】
これに対し、本発明に係る第１の電気光学装置によれば、入力手段は電気光学パネルの表示面から離れた開位置へ持ち運ぶことができるので、その開位置において上記のメンテナンス作業を容易に行うことができる。また、破損した入力手段を正常な入力手段に交換する作業を容易に行うことができる。
【００１７】
次に、開閉構造を備えた本発明に係る第１の電気光学装置において、前記支持手段は、前記表示面に対して平行な軸線を中心として前記入力手段と前記電気光学パネルとを相対的に回転させることにより前記入力手段を開閉可能に支持することが望ましい。表示面に対して平行な軸線を中心として入力手段と電気光学パネルとを相対的に回転させるとは、つまり、電気光学装置を軸線を中心にして折り畳むことである。このように電気光学装置を折り畳めば、入力手段を電気光学パネルの表示面に対して簡単に開閉できる。
【００１８】
次に、折り畳み構造の開閉構造を備えた本発明に係る第１の電気光学装置において、前記支持手段は、前記入力手段を収容する入力手段用ケースと、前記電気光学パネルを収容するパネル用ケースと、前記入力用ケースと前記パネル用ケースとを連結する連結手段と、を有し、該連結手段は、前記表示面に対して平行な軸線を中心として前記入力手段用ケースと前記パネル用ケースとを相対的に回転させることにより前記入力手段を開閉可能に支持することが望ましい。
【００１９】
電気光学パネルは、一般に、透光性のガラス等を材料とした基板を用いて形成されるので、入力手段を電気光学パネルに直接に取り付けた場合、その基板が破損するおそれがある。また、その基板に支持手段を直接に形成しようとすれば、電気光学パネルの構造が複雑になる可能性がある。このことから、入力手段を電気光学パネルに直接に取り付けることは難しいと考えられる。また、電気光学パネルは、その電気光学パネルを保護する意味から、パネル用のケースに収容されることが望ましい。また、入力手段についても、電気光学パネルと同様の理由から、入力手段用のケースに収容されることが望ましい。これらのことから、入力手段を収容した入力手段用ケースと、電気光学パネルを収容したパネル用ケースとを連結手段によって連結することが現実的である。
【００２０】
次に、開閉構造を備えた本発明に係る第１の電気光学装置において、前記支持手段は、前記表示面に対して直角な軸線を中心として前記入力手段と前記電気光学パネルとを相対的に回転させることにより前記入力手段を開閉可能に支持することが望ましい。表示面に対して直角な軸線を中心として入力手段と電気光学パネルとを相対的に回転させるとは、つまり、電気光学パネルに対して入力手段を旋回させることである。このように入力手段を旋回させれば、電気光学パネルの表示面に対して入力手段を簡単に開閉できる。
【００２１】
次に、旋回構造の開閉構造を備えた本発明に係る第１の電気光学装置において、前記支持手段は、前記入力手段を収容する入力手段用ケースと、前記電気光学パネルを収容するパネル用ケースと、前記入力用ケースと前記パネル用ケースとを連結する連結手段と、を有し、該連結手段は、前記表示面に対して直角な軸線を中心として前記入力手段用ケースと前記パネル用ケースとを相対的に回転させることにより前記入力手段を開閉可能に支持することが望ましい。こうすれば、電気光学パネルをパネル用ケースによって保護できる。また、入力手段用ケースによって入力手段を保護できる。また、パネル用ケースと入力手段用ケースとを連結手段によって連結することにより、支持手段の構造を簡単にできる。
【００２２】
次に、折り畳み構造の開閉構造又は旋回構造の開閉構造を備えた本発明に係る第１の電気光学装置において、前記支持手段は、前記電気光学パネル又は前記入力手段の一方と一体であって前記軸線に沿って延びる軸部材と、前記電気光学パネル又は前記入力手段の他方と一体であって前記軸部材に嵌合する穴と、前記軸部材に設けられていて前記電気光学パネル又は前記入力手段の一方に電気的につながる第１端子と、前記穴に設けられていて前記電気光学パネル又は前記入力手段の他方に電気的につながる第２端子と、を有し、前記第１端子と前記第２端子とが接触することにより前記電気光学パネルと前記入力手段とが電気的に接続することが望ましい。こうすれば、電気光学パネルと入力手段とを確実に導電接続できる。また、電気光学パネルと入力手段とを導通させる部分を別途に設ける必要がないので、電気光学装置の構造を簡単にできる。
【００２３】
次に、連結手段を備えた本発明に係る第１の電気光学装置において、前記連結手段は、前記電気光学パネル又は前記入力手段の一方と一体であって前記軸線に沿って延びる軸部材と、前記電気光学パネル又は前記入力手段の他方と一体であって前記軸部材に嵌合する穴と、前記軸部材に設けられていて前記電気光学パネル又は前記入力手段の一方に電気的につながる第１端子と、前記穴に設けられていて前記電気光学パネル又は前記入力手段の他方に電気的につながる第２端子と、を有し、前記第１端子と前記第２端子とが接触することにより前記電気光学パネルと前記入力手段とが電気的に接続することが望ましい。こうすれば、電気光学パネルと入力手段とを確実に導電接続できる。また、電気光学パネルと入力手段とを導通させる部分を別途に設ける必要がないので、電気光学装置の構造を簡単にできる。
【００２４】
次に、開閉構造を備えた本発明に係る第１の電気光学装置において、前記支持手段は、前記入力手段と前記電気光学パネルとを相対的に平行移動させることにより前記入力手段を開閉可能に支持することが望ましい。入力手段と電気光学パネルとを相対的に平行移動させるとは、つまり、電気光学パネルに対して入力手段をスライド移動させることである。このように入力手段をスライド移動させれば、電気光学パネルの表示面に対して入力手段を簡単に開閉できる。
【００２５】
次に、平行移動構造の開閉構造を備えた本発明に係る第１の電気光学装置において、前記支持手段は、前記入力手段を収容する入力手段用ケースと、前記電気光学パネルを収容するパネル用ケースと、前記入力用ケースと前記パネル用ケースとを連結する連結手段と、を有し、該連結手段は、前記入力手段用ケースと前記パネル用ケースとを相対的に平行移動させることにより前記入力手段を開閉可能に支持することが望ましい。こうすれば、電気光学パネルをパネル用ケースによって保護できる。また、入力手段用ケースによって入力手段を保護できる。また、パネル用ケースと入力手段用ケースとを連結手段によって連結することにより、支持手段の構造を簡単にできる。
【００２６】
次に、開閉構造を備えた本発明に係る第１の電気光学装置において、前記入力手段は、前記閉位置にあるときに電源オン状態になり、前記開位置にあるときに電源オフ状態になることが望ましい。電源オン状態では、入力手段に電力が供給されてその入力手段が入力を受け付ける動作を行える状態にある。一方、電源オフ状態では、入力手段への電力が遮断されてその入力手段が入力を受け付ける動作を行うことができない状態にある。このように、入力手段の位置によってその入力装置の電源オン状態と電源オフ状態の切り替えを行うようにすれば、入力手段を必要なときにのみ稼動させることができる。これにより、入力手段における電力の消費を少なくすることができる。
【００２７】
上記電気光学装置においては、前記支持手段に前記入力手段とともに開閉可能に支持されてなり、前記入力手段が前記閉位置にある時に前記表示面と平面的に重なる反射偏光子を有することが望ましい。また、上記電気光学装置においては、前記入力手段は、反射偏光子を備え、前記反射偏光子は、前記入力手段が前記閉位置にある時に前記表示面と平面的に重なることが望ましい。
【００２８】
この電気光学装置は、前記入力手段が前記閉位置にある時に前記表示面と平面的に重なる反射偏光子を有するので、入力手段に入射した光のうち、反射偏光子の透過軸に平行な偏光成分を有する光は当該反射偏光子及び入力手段を透過する一方で、反射偏光子の透過軸に直交する偏光成分を有する光は当該反射偏光子によって反射される。一般に、入力手段に入射する外光はあらゆる偏光方向の光を含むので、反射偏光子においてその一部が反射される。したがって、上記電気光学装置は鏡としても機能する。
【００２９】
上記電気光学装置は、入力手段を電気光学パネルの表示面を覆う位置に置くこともでき、あるいは、その表示面を開放する位置に入力手段を置くこともできる。入力手段を電気光学パネルの表示面を覆う位置に置いたときには、当該電気光学パネルは以下のように動作する。まず、電気光学パネルが表示を行っているときは、その表示光が入力手段及び反射偏光子を透過して表示が行われる。一方、電気光学パネルが表示を行っていないとき又は輝度の低い表示を行っているときは、入力手段及び反射偏光子を透過する表示光がないか又は非常に低輝度であるため表示が行われない。そして、このとき入力手段に外光が入射すると、当該外光は入力手段と平行に配置された反射偏光子によって反射される。すなわち、上記電気光学装置は鏡として機能する。また、電気光学パネルの表示面を開放する位置に入力手段を置いたときには、電気光学パネルの表示が視認される一方、入力手段と平行に配置された反射偏光子が外光を反射するので、上記電気光学装置は電気光学パネルによる表示を行うとともに鏡としても機能する。このように、上記構成の電気光学装置は、電気光学パネルによる表示機能に加え、鏡としての機能も併せ持つ。
【００３０】
上記電気光学装置においては、電気光学パネルの表示面を覆う位置に入力手段を置いた状態において、電気光学パネルの表示側に配置された偏光板の透過軸と、反射偏光子の透過軸とが平行となることが好ましい。このような構成によれば、電気光学パネルの表示面を覆う位置に入力手段を置いたときに、電気光学パネルの偏光板を透過した直線偏光の表示光は、入力手段及び反射偏光子をそのまま透過することができる。すなわち、電気光学パネルによる表示光を、最も少ない損失で入力手段側から透過させることができる。
【００３１】
また、上記電気光学装置において、反射偏光子は、電気光学パネルの表示面を覆う位置に入力手段を置いた状態において、電気光学パネルの表示側に配置された偏光板に対して平面内で回動可能なように取り付けられていてもよい。このような構成によれば、反射偏光子を回動させることによって、反射偏光子の透過軸と上記偏光板の透過軸とが平行である第１の状態と、これらの透過軸が互いに直交する第２の状態のいずれかの状態を選択することができる。上記第１の状態の電気光学装置は、電気光学パネルが表示を行っている場合は当該表示をし、電気光学パネルが表示を行っていない場合は鏡として機能する。上記第２の状態の電気光学装置は、電気光学パネルからの表示光が常に反射偏光子によって反射されて視認されない一方、入力手段に入射した外光は反射偏光子によって反射されるので、電気光学装置は鏡として機能する。
【００３２】
上記電気光学装置においては、前記電気光学パネルに光を入射させる照明装置を有し、前記照明装置から出射された光が前記電気光学パネルに入射し、前記入力手段を透過して観察される観察モードと、前記照明装置から光が出射されず、観察側から前記反射偏光子に入射した光が前記反射偏光子で反射されて観察されるミラーモードと、を備えることが望ましい。
【００３３】
このような構成によれば、照明装置からの光の出射を制御することによって、観察モードとミラーモードとを簡易に切り替えることができる。
【００３４】
次に、本発明に係る第２の電気光学装置は、表示面に像を表示する電気光学パネルと、透光性を持った面状の入力領域を備えた入力手段と、該入力手段を着脱可能に支持する支持手段と、を有し、該支持手段に装着された前記入力手段は前記表示面を覆うことを特徴とする。
【００３５】
この電気光学装置によれば、入力手段を支持手段に装着することによって電気光学パネルの表示面を入力手段で覆い、入力手段を支持手段から取り外すことによって電気光学パネルの表示面を外部へ露出できる。例えば、入力手段を用いて入力操作を行う場合には、電気光学パネルの表示面を入力手段で覆うこと、つまり、入力手段を装着位置に置くことにより、入力操作を行うことができる。一方、入力手段を使用することなく表示を観察したい場合には、入力手段を支持手段から取り外して表示面を外部へ露出させる。こうすれば、入力手段で光が反射する等の理由によって電気光学パネルの表示が見難くなることを防止できる。
【００３６】
また、本発明に係る第２の電気光学装置によれば、入力手段は支持手段から取り外して電気光学パネルの表示面から離れた位置へ持ち運ぶことができ、その持ち運んだ位置においてメンテナンス作業を容易に行うことができる。また、破損した入力手段を正常な入力手段に交換する作業を上記の持ち運んだ位置において容易に行うことができる。
【００３７】
次に、着脱構造を備えた本発明に係る第２の電気光学装置において、前記支持手段は、前記入力手段を収容する入力手段用ケースと、前記電気光学パネルを収容するパネル用ケースと、前記入力用ケースと前記パネル用ケースとを着脱可能に連結する連結手段と、を有することが望ましい。こうすれば、電気光学パネルをパネル用ケースによって保護できる。また、入力手段用ケースによって入力手段を保護できる。また、パネル用ケースと入力手段用ケースとを連結手段によって連結することにより、支持手段の構造を簡単にできる。
【００３８】
次に、着脱構造を備えた本発明に係る第２の電気光学装置において、前記入力手段は前記支持手段に装着されたときに電源オン状態になり、前記入力手段は前記指示手段から取り外されたときに電源オフ状態になることが望ましい。こうすれば、入力手段を必要なときにのみ稼動させることができる。これにより、入力手段における電力の消費を少なくすることができる。
【００３９】
次に、本発明に係る第１の電子機器は、以上に記載した構成の電気光学装置を有することを特徴とする。本発明に係る電気光学装置では、入力手段を電気光学パネルに対して開閉可能又は着脱可能に設けることにした。入力手段を電気光学パネルに対して開状態に置けば、あるいは入力手段を電気光学パネルから取り外した状態に置けば、電気光学パネルの表示面を外部へ開放でき、その表示面に形成される表示を見易くできる。従って、この電気光学装置を用いた本発明に係る電子機器においても、入力手段を開状態あるいは取り外し状態に置くことにより、電気光学パネルの表示面に形成される表示を見易くできる。
【００４０】
また、本発明に係る電気光学装置は、入力手段を開状態あるいは取外し状態に置くことによってその入力手段のメンテナンス作業を容易に行うことができるようになっている。従って、この電気光学装置を用いた本発明に係る電子機器においても、入力手段を開状態又は取外し状態に置くことにより、メンテナンス作業を容易に行うことができる。
【００４１】
次に、本発明に係る第２の電子機器は、表示面に像を表示する電気光学パネルと、該電気光学パネルを収容する筐体と、該筐体に取り付けられると共に透光性を持った面状の入力領域を備えた入力手段と、を有し、前記入力手段は、前記表示面を覆う閉位置と、前記表示面を外部へ露出させる開位置との間で開閉可能であることを特徴とする。
【００４２】
この構成によれば、入力手段を電気光学パネルに対して開閉可能に構成したので、入力手段を電気光学パネルの表示面を覆う位置に置くこともでき、あるいは、その表示面を開放する位置に入力手段を置くこともできる。例えば、入力手段を用いて入力操作を行う場合には、電気光学パネルの表示面を入力手段で覆うこと、つまり、入力手段を閉位置に置くことにより、入力操作を行うことができる。一方、入力手段を使用することなく表示を観察したい場合には、入力手段を開位置へ開いて表示面を外部へ露出させる。こうすれば、入力手段で光が反射する等の理由によって電気光学パネルの表示が見難くなることを防止できる。
【００４３】
また、本発明に係る第２の電子機器によれば、入力手段は電気光学パネルの表示面から離れた開位置へ持ち運ぶことができるので、その開位置においてメンテナンス作業を容易に行うことができる。また、破損した入力手段を正常な入力手段に交換する作業を容易に行うことができる。
【００４４】
次に、本発明に係る第３の電子機器は、表示面に像を表示する電気光学パネルと、該電気光学パネルを収容する筐体と、該筐体に取外し可能に取り付けられると共に透光性を持った面状の入力領域を備えた入力手段と、を有し、前記入力手段は、前記表示面を覆うように前記筐体に装着される装着位置と、前記表示面を外部へ露出させるように前記筐体から取り外される離脱位置との間で着脱されることを特徴とする。
【００４５】
この構成によれば、入力手段を筐体に装着することによって電気光学パネルの表示面を入力手段で覆い、入力手段を筐体から取り外すことによって電気光学パネルの表示面を外部へ露出できる。例えば、入力手段を用いて入力操作を行う場合には、電気光学パネルの表示面を入力手段で覆うこと、つまり、入力手段を装着位置に置くことにより、入力操作を行うことができる。一方、入力手段を使用することなく表示を観察したい場合には、入力手段を筐体から取り外して表示面を外部へ露出させる。こうすれば、入力手段で光が反射する等の理由によって電気光学パネルの表示が見難くなることを防止できる。
【００４６】
また、本発明に係る第３の電子機器によれば、入力手段は電気光学パネルの表示面から離れた位置へ持ち運ぶことができるので、その持ち運んだ位置においてメンテナンス作業を容易に行うことができる。また、破損した入力手段を正常な入力手段に交換する作業を容易に行うことができる。
【発明を実施するための最良の形態】
【００４７】
（電気光学装置の第１実施形態）
以下、本発明を電気光学装置の一例である液晶表示装置に適用した場合を例に挙げて説明する。なお、これ以降に説明する実施形態は本発明の一例であって、本発明を限定するものではない。また、これからの説明では必要に応じて図面を参照するが、この図面では、複数の構成要素から成る構造のうち重要な構成要素を分かり易く示すため、各要素を実際とは異なった相対的な寸法で示している。
【００４８】
（液晶表示装置の全体的な構成）
図１は、本発明に係る電気光学装置としての液晶表示装置の一実施形態を示している。ここに示す液晶表示装置１は、電気光学モジュールとしての液晶表示モジュール２と、タッチパネルモジュール３とを有する。液晶表示モジュール２は、その内部に液晶パネル４を含んでいて表示機能を達成するための１つの機能ユニットとして機能する。また、タッチパネルモジュール３は、その内部にタッチパネル３１を含んでいて入力機能を達成するための１つの機能ユニットとして機能する。
【００４９】
本実施形態において、液晶表示モジュール２とタッチパネルモジュール３は連結手段としての一対のヒンジ部４９，４９によって結合されている。具体的には、液晶表示モジュール２及びタッチパネルモジュール３は、一対のヒンジ部４９，４９を結ぶ軸線Ｓ０を中心として矢印Ｅで示すように相対的に回転移動できるようにそれらのヒンジ部４９によって支持されている。
【００５０】
（液晶表示モジュール２の構成及び機能）
先ず、液晶表示モジュール２について説明する。図２は、液晶表示モジュール２の一実施形態を分解状態で示している。この液晶表示モジュール２は、電気光学パネルとしての液晶パネル４と、液晶パネル４に付設された照明装置６と、液晶パネル４及び照明装置６を支持するフレーム８とを有する。液晶パネル４の１つの辺部には駆動用ＩＣ５が実装されている。また、駆動用ＩＣ５が実装された液晶パネル４の辺の辺端には配線基板としてのＦＰＣ（Flexible Printed Circuit）基板７が接続されている。
【００５１】
液晶表示モジュール２は、また、第１外装ケース９ａと第２外装ケース９ｂとを有し、これらのケース９ａ，９ｂは互いに結合してパネル用ケースとしての外装ケース９を構成する。そして、その外装ケース９の中に、液晶パネル４及び照明装置６がフレーム８によって支持された状態で収容される。この液晶表示モジュール２に関しては、矢印Ａが描かれた側が観察側である。第１外装ケース９ａの端部にはヒンジ部４９の構成要素であるブラケット１９が設けられている。
【００５２】
照明装置６は、光源としてのＬＥＤ（Light Emitting Diode）１１と、透光性の樹脂によって形成された導光体１２とを有する。ＬＥＤ１１から発生した光は導光体１２の光入射面１２ａを通して導光体１２の内部へ導入され、そして光出射面１２ｂから面状の光として外部へ出射される。矢印Ａで示す観察側から見て導光体１２の背面には光反射層１３が設けられる。また、導光体１２の光出射面１２ｂには光拡散層１４が設けられる。照明装置６は、矢印Ａで示す観察方向から見て液晶パネル４の裏側に配置されていて、バックライトとして機能する。なお、導光体１２の光出射面１２ｂの上には、必要に応じて、光拡散層１４以外の他の光学特性を備えた層を設けることもできる。また、光源は、ＬＥＤ１１以外の点状光源や、冷陰極管等といった線状光源によって構成することもできる。
【００５３】
液晶パネル４は、矢印Ａ方向から見て長方形又は正方形の第１基板２１と、同じく矢印Ａ方向から見て長方形又は正方形の第２基板２２とを有し、それらの基板を矢印Ａ方向から見て正方形又は長方形で枠状のシール材２３によって貼り合わせて形成する。第１基板２１と第２基板２２との間には間隙、いわゆるセルギャップが形成され、その中に電気光学物質としての液晶が封入されて液晶層２４を構成する。
【００５４】
第１基板２１及び第２基板２２は、例えば、透光性のガラス、透光性のプラスチック等によって形成される。そして、第１基板２１の外側表面には、位相差板２７ａ及び偏光板２８ａが、それぞれ、貼着等によって装着される。また、第２基板２２の外側表面には、位相差板２７ｂ及び偏光板２８ｂが、それぞれ、貼着等によって装着される。なお、第１基板２１及び第２基板２２の表面には、必要に応じて、その他適宜の光学要素を用いることもできる。
【００５５】
液晶パネル４は矢印Ａで示す観察側の表面、すなわち表示面１６に文字、数字、図形等といった像を表示するものであり、その表示面１６のうち像が表示される領域が表示領域Ｖｏである。そのような液晶パネル４は、本実施形態の場合、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率を持つ液晶で成る垂直配向モード、その他の任意の液晶を用いることができる。また、採光方式でいえば、透過型、反射型、半透過反射型のいずれであっても良い。なお、本実施形態では、液晶パネル４に照明装置６を付設しているので、採光方式としては透過型又は半透過反射型ということになる。
【００５６】
単純マトリクス方式とは、各画素に能動素子を持たず、走査電極とデータ電極との交差部が画素又はドットに対応し、駆動信号が直接に印加されるマトリクス方式である。この方式に対する液晶モードとしては、ＴＮ又はＳＴＮが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００５７】
上記のような液晶パネル４において、カラー表示を行う場合には、第１基板２１又は第２基板２２にカラーフィルタが設けられる。カラーフィルタは、特定の波長域の光を選択的に透過するフィルタである。具体的には、３原色であるＢ（青色）、Ｇ（緑色）、Ｒ（赤色）の１色ずつを第１基板２１又は第２基板２２上の各ドットに対応させて所定の配列、例えばストライプ配列、デルタ配列、モザイク配列で並べる。
【００５８】
第２基板２２は、対向基板である第１基板２１の外側へ張り出す張出し部２５を有する。上記の駆動用ＩＣ５は、この張出し部２５の第１基板２１側の表面上に、例えばＡＣＦ（Anisotropic Conductive Film：異方性導電膜）２６を用いたＣＯＧ（Chip On Glass）技術によって実装される。駆動用ＩＣ５は、複数個、本実施形態では３個実装されている。これらの駆動用ＩＣ５は、液晶パネル４の電極に走査信号及びデータ信号を出力して液晶パネル４を駆動する。
【００５９】
ＦＰＣ基板７は、張出し部２５の辺端部に、例えばＡＣＦ２６を用いて接続される。このＦＰＣ基板７には、液晶パネル４を駆動するために必要となる複数の回路部品が実装され、さらに、各回路部品を接続して回路を構成する複数の配線がパターニングによって形成される。また、ＦＰＣ基板７には入力用端子７ａが設けられ、この入力用端子７ａに外部の入力用機器（例えば、携帯電話機等といった電子機器の制御回路や、タッチパネル）の出力用端子が接続される。入力用機器から出力された信号は、ＦＰＣ基板７を介して液晶パネル４の駆動用ＩＣ５に入力され、液晶パネル４の表示に供される。
【００６０】
フレーム８は、照明装置収容部８ａと、液晶パネル係止片８ｂとを有する。このフレーム８は、例えば、プラスチックを材料として成形加工によって形成できる。照明装置収容部８ａは、フレーム８の内側に設けられた空間であり、この空間内に導光体１２が収容される。また、液晶パネル係止片８ｂは、フレーム８の四隅に設けられていて、矢印Ａで示す観察側へ延びている。液晶パネル４は、これら液晶パネル係止片８ｂの内側に嵌合することにより、フレーム８に収容されて支持される。
【００６１】
第１外装ケース９ａは液晶パネル４の表示面１６を覆うように設けられる。この第１外装ケース９ａには開口１７が設けられ、液晶パネル４によって表示面１６内に実現される表示をこの開口１７を通して視認することができる。表示面１６内で表示が行われる領域が表示領域Ｖｏである。第２外装ケース９ｂは、矢印Ａで示す観察側から見てフレーム８の裏側に設けられる。これら第１外装ケース９ａ及び第２外装ケース９ｂは、例えば、ステンレス鋼等といった金属によって形成される。
【００６２】
液晶表示モジュール２を製造する際には、上記の液晶パネル４及び照明装置６をフレーム８に収容し、ＦＰＣ基板７を矢印Ｂで示すように曲げて照明装置６の光反射層１３に当接又は近接させる。このように液晶パネル４と照明装置６とフレーム８とを組み立てた状態で、これらを第１外装ケース９ａと第２外装ケース９ｂとによって挟むようにして覆う。こうして、液晶表示モジュール２が形成される。
【００６３】
（タッチパネルモジュール３の構成及び機能）
次に、図１の液晶表示装置１を構成するタッチパネルモジュール３について説明する。図３は、図１のタッチパネルモジュール３を分解状態で示している。また、図４は、図３のＣ−Ｃ線に従った断面構造を示している。図３において、タッチパネルモジュール３は、入力手段としてのタッチパネル３１と、第１外装ケース３２ａと、第２外装ケース３２ｂとを有する。タッチパネル３１の１辺には配線基板３４が接続されている。第１外装ケース３２ａと第２外装ケース３２ｂは互いに結合して入力手段用ケースとしての外装ケース３２を構成する。そして、その外装ケース３２の中にタッチパネル３１が収容される。第１外装ケース３２ａの端部には図１のヒンジ部４９の構成要素である軸部材としてのピン３５が設けられている。
【００６４】
タッチパネル３１は、矢印Ｄで示す入力側に位置する前基板４１と、入力側から見て前基板４１の背面側に位置する後基板４２とを有する。これらの基板４１，４２は、矢印Ｄ方向から見て正方形又は長方形で枠状の接着材４３によって貼り合わされている。前基板４１は、例えば、透光性のプラスチック等を用いて厚さ０．１〜０．２ｍｍ程度のフィルム状に形成される。また、後基板４２は、例えば、透光性のガラス、透光性のプラスチック等によって形成される。
【００６５】
前基板４１のうち後基板４２に対向する面には、平板状の面電極４４ａが設けられている。この面電極４４ａは、前基板４１の面積よりも少し小さい面積の領域Ｖｉ内の全域に均一な厚さで設けられている。この面電極４４ａの４辺のうちの互いに対向する一対の辺の近傍に、当該辺と略平行に矢印Ｙで示す方向へ延びるように一対の低抵抗電極４５ａ，４５ａが設けられている。
【００６６】
他方、後基板４２のうちの前基板４１に対向する面には、平板状の面電極４４ｂが設けられている。この面電極４４ｂは、前基板４１側の面電極４４ａと略同じ領域内の全域に均一な厚さで設けられている。この面電極４４ｂの４辺のうち前基板４１上の低抵抗電極４５ａ，４５ａが設けられた辺と直角の位置関係にある一対の辺の近傍に、当該辺と略平行に矢印Ｘで示す方向へ延びるように一対の低抵抗電極４５ｂ，４５ｂが設けられている。
【００６７】
面電極４４ａ，４４ｂ及び低抵抗電極４５ａ，４５ｂは、例えば、ＩＴＯ（Indium Tin Oxide）等といった透光性の導電材を用いて形成される。前基板４１上で面電極４４ａが設けられた領域Ｖｉが、入力者すなわち観察者が、自らの指によって又は適宜の入力器具（図示せず）を用いて、位置を指示するために押す領域、すなわち入力領域である。
【００６８】
図４において、矢印Ｄで示す入力側（すなわち、図２において矢印Ａで示す観察側）から見て遠い側の面電極４４ｂのうち近い側の面電極４４ａに対向する面の上には、ドット状の突起４６が複数個設けられている。これらの突起４６は面電極４４ｂの上にランダム（すなわち、無秩序）に設けられている。これらの突起４６は、面電極４４ａと面電極４４ｂとの隙間を維持するためのスペーサとして機能する。
【００６９】
後基板４２のうちの電極４５ｂが設けられた側の辺４２ａの端部には外部接続用端子４７が形成される。そして、この外部接続用端子４７に配線基板３４が接続される。この配線基板３４は、例えば、ＦＰＣ基板等といった可撓性を持った基板によって形成される。この配線基板３４を介して電極４５ｂに、例えばタッチパネル制御回路（図示せず）が接続される。このタッチパネル制御回路は電圧発生回路及び電圧測定回路を有する。本実施形態においてタッチパネル制御回路は図２のＦＰＣ基板７に実装される。従って、図４の配線基板３４は、図２のＦＰＣ基板７の入力用端子７ａに接続される。
【００７０】
図３において、第１外装ケース３２ａはタッチパネル３１の入力面３６を覆うように設けられる。この第１外装ケース３２ａには、タッチパネル３１の入力領域Ｖｉと同じか、それよりも少し広い面積の開口３３ａが設けられる。オペレータ、すなわち入力者は、その開口３３ａを通してタッチパネル３１の入力面３６の適所を押すことができる。
【００７１】
第２外装ケース３２ｂは、タッチパネル３１を挟んで第１外装ケース３２ａの反対側に設けられる。この第２外装ケース３２ｂにも、タッチパネル３１の入力領域Ｖｉと同じか、それよりも少し広い面積の開口３３ｂが設けられる。これらの第１外装ケース３２ａ及び第２外装ケース３２ｂは、例えば、金属、プラスチック等によって形成される。金属としては、例えばステンレス鋼を使用できる。
【００７２】
第１外装ケース３２ａと第２外装ケース３２ｂとは、図４に示すように、互いに結合して１つの外装ケース３２を構成する。タッチパネル３１はその外装ケース３２の中に収容される。こうして、タッチパネルモジュール３が形成される。
【００７３】
図３において、配線基板３４の外部接続端子４７にタッチパネル制御回路（図示せず）が接続されることは既述した。このタッチパネル制御回路は、後基板４２側の電極４５ｂ，４５ｂ間に所定の電圧を印加すると共に前基板４１側の電極４５ａ，４５ａ間の電圧を測定するＡタイミングと、前基板４１側の電極４５ａ，４５ａ間に所定の電圧を印加すると共に後基板４２側の電極４５ｂ，４５ｂ間の電圧を測定するＢタイミングとを、互いに時間的に重ならないように個別に実現する。
【００７４】
上記のＡタイミングにおいて、後側の面電極４４ｂには、Ｙ方向に沿って直線的に電圧が変化する均一な電圧降下が発生し、Ｙ方向の座標位置が等しい部位同士は略同じ電位となるような電圧分布が構成される。このときに液晶表示モジュール２（図１参照）の表示領域Ｖｏに対応するタッチパネルモジュール３の入力領域Ｖｉ内において前基板４１内のある点状部位が押されると、前側の面電極４４ａと後側の面電極４４ｂとが点状領域で接触する。これにより、押された部位に対応する位置における面電極４４ｂの電圧を前側の面電極４４ａを通してタッチパネル制御回路によって測定することができる。この測定された電圧値は、前基板４１が押された部位のＹ方向の座標位置と相関しているため、タッチパネル制御回路は押された部位のＹ方向の位置を検出したことになる。
【００７５】
また、前側の電極４５ａ，４５ａ間に所定の電圧を印加して後側の電極４５ｂ，４５ｂ間の電圧を測定するＢタイミングが到来すると、前側の面電極４４ａにはＸ方向に沿って均一な電圧降下が発生し、直線的に電圧が変化する電圧部分が形成される。タッチパネル制御回路は、前側基板４１が押された部位に対応する位置における前側電極４４ａの電圧を後側電極４４ｂを通して検出できる。これにより、押された部位のＸ方向の位置を検出できる。
【００７６】
上述したタッチパネル制御回路に関するＡタイミングとＢタイミングとを短時間の間で繰り返して切り換えることにより、タッチパネル制御回路は押された部位のＹ方向の位置座標及びＸ方向の位置座標を検出することができる。
【００７７】
（ヒンジ部４９の構成及び機能）
次に、図１のヒンジ部４９は、図２において第１外装ケース９ａに設けられたブラケット１９と、図３において第１外装ケース３２ａに設けられた軸部材としてのピン３５とによって形成される。図２において、ブラケット１９には穴３７が設けられている。この穴３７に図３のピン３５が嵌合することにより、図１に示すように、タッチパネルモジュール３と液晶表示モジュール２とが回転可能に連結される。なお、ブラケット１９及びピン３５の周りには、必要に応じて、その他の適宜の構成要素を付加的に設けることができる。また、ヒンジ部４９は本実施形態のような構造に限られず、必要に応じて種々の構造を採用できる。
【００７８】
図１のヒンジ部４９は、タッチパネルモジュール３を、軸線Ｓ０を中心として回転可能に支持する。つまり、ヒンジ部４９は、タッチパネルモジュール３を実線で示す開位置Ｐ１と鎖線で示す閉位置Ｐ２との間で開閉可能に支持する。開位置Ｐ１は、タッチパネルモジュール３が液晶表示装置モジュール２の表示面１６を覆うことなくその表示面１６を外部へ露出させる位置である。閉位置Ｐ２は、タッチパネルモジュール３が表示面１６を覆う位置である。タッチパネルモジュール３が開位置Ｐ１に置かれたとき、観察者は表示面１６に表示される像を直接に観察できる。一方、タッチパネルモジュール３が閉位置Ｐ２に置かれたとき、観察者はそのタッチパネルモジュール３を通して間接的に表示面１６を観察する。
【００７９】
ヒンジ部４９は、タッチパネルモジュール３を開位置Ｐ１で固定して保持する機能を有することが望ましい。こうすれば、開位置Ｐ１に置かれたタッチパネルモジュール３を観察者が保持する必要が無くなる。
【００８０】
本実施形態において、タッチパネル制御回路は図２のＦＰＣ基板７の上に形成される。このため、図３に示すタッチパネル３１の配線基板３４と、図２に示すＦＰＣ基板７とを電気的に接続する必要がある。そのため、本実施形態では、図３のピン３５の外側に第１端子としての軸端子３５ａを設け、図２の穴３７の内側に第２端子としての穴端子３７ａを設けている。図３の軸端子３５ａは、配線基板３４に電気的に接続される。また、図２の穴端子３７ａは、ＦＰＣ基板７に電気的に接続される。こうすれば、図３のピン３５と図２のブラケット１９とを図１のヒンジ部４９を構成するように互いに嵌合させたときに、図３の軸端子３５ａと図２の穴端子３７ａとが接触することにより、液晶表示モジュール２とタッチパネルモジュール３とを電気的に接続できる。なお、この接続は他の任意の導電接続方法によっても達成できる。
【００８１】
また、タッチパネル３１は、タッチパネルモジュール３が図１の閉位置Ｐ２にあるとき、電力が供給されてタッチパネル３１が入力を受け付ける動作を行える状態、すなわち電源オン状態となる。一方、タッチパネルモジュール３が開位置Ｐ１にあるとき、タッチパネル３１への電力の供給が遮断されてタッチパネル３１が入力を受け付ける動作を行うことができない状態、すなわち電源オフ状態となる。このように、タッチパネルモジュール３の位置によってそのタッチパネル３１の電源オン状態と電源オフ状態の切り替えを行うようにすれば、タッチパネル３１を必要なときにのみ稼動させることができる。これにより、タッチパネル３１における電力の消費を少なくすることができる。
【００８２】
上記の電源オン状態と電源オフ状態の切り替えを行うには、例えば、タッチパネルモジュール３を開位置Ｐ１に置いたとき、図３の軸端子３５ａと図２の穴端子３７ａとの接続が解除される構造とすることで実現できる。または、図１のタッチパネルモジュール３の開閉を検知するセンサを設け、このセンサによってタッチパネルモジュール３が開位置Ｐ１にあることを検知したとき、タッチパネル３１への通電を制御回路によって遮断する構造とすることもできる。
【００８３】
本実施形態において、入力手段としての図３のタッチパネル３１を開閉可能に支持するための支持手段は、タッチパネル３１を収容する外装ケース３２、図２の液晶パネル４を収容する外装ケース９及び図１のヒンジ部４９によって実現されている。また、ヒンジ部４９は液晶パネル４とタッチパネル３１とを連結する連結手段として機能する。
【００８４】
（液晶表示装置の全体的な動作）
以下、上記構成より成る液晶表示装置１の動作について説明する。液晶表示装置１はタッチパネルモジュール３を用いて入力を行いながら液晶表示モジュール２の表示面１６上の表示を観察する入力及び観察モードと、入力操作を行うことなく表示面１６の表示を観察するだけの観察モードと、入力も観察も行わない不使用モード等といった各種のモードの下で使用される。以下、各モードを個別に説明する。
【００８５】
（入力及び観察モード）
このモードを実現しようとする場合、観察者は、図１において、タッチパネルモジュール３を閉位置Ｐ２に置く。このとき、タッチパネル３１に電力が供給され、タッチパネル３１が電源オン状態となる。また、タッチパネルモジュール３の入力領域Ｖｉと液晶表示モジュール２の表示領域Ｖｏが互いに重なる位置関係となる。
【００８６】
タッチパネルモジュール３の入力領域Ｖｉは透光性を持っているので、入力者、すなわち観察者はタッチパネルモジュール３を通して液晶表示モジュール２の表示を観察できる。観察者が何等かの入力操作を行う必要が生じた場合、観察者は自らの指によって、あるいは適宜の入力器具を用いて、タッチパネルモジュール３の入力領域Ｖｏ内の所望の点状位置を押す。タッチパネルモジュール３内のタッチパネル３１（図３参照）は押された位置をＸ−Ｙ座標内の位置として検出し、必要に応じてその検出結果を液晶表示モジュール２のための制御回路あるいは液晶表示装置１を制御するホスト制御部へ向けて出力する。
【００８７】
（観察モード）
このモードを実現しようとする場合、観察者は、タッチパネルモジュール３を開位置Ｐ１に置く。このとき、タッチパネル３１への電力の供給が遮断され、タッチパネル３１が電源オフ状態となる。こうすると、液晶表示モジュール２の表示面１６が大きく開放されて外部へ露出する。観察者はこの状態で表示面１６に表示される像を観察する。
【００８８】
観察者が表示面１６を観察する場合にタッチパネルモジュール３を閉位置Ｐ２に置いておくものとすると、液晶表示モジュール２へ入る光がタッチパネルモジュール３のタッチパネル３１（図３参照）で反射して観察者に視認される場合がある。こうなると、表示面１６の表示が反射光に邪魔されて見難くなるおそれがある。これに対し、上記のようにタッチパネルモジュール３を開位置Ｐ１へ置いておけば、観察者はタッチパネルモジュール３に邪魔されることなく、液晶表示モジュール２によって実現される表示を鮮明に視認できる。
【００８９】
（不使用モード）
液晶表示モジュール２及びタッチパネルモジュール３のどちらも使用しない場合、観察者は望ましくは、タッチパネルモジュール３を閉位置Ｐ２へ置く。タッチパネルモジュール３の全体は液晶表示モジュール２の表示面１６よりも広い面積を有しており、タッチパネルモジュール３が液晶表示モジュール２に対して閉位置Ｐ２に置かれると、タッチパネルモジュール３は表示面１６の全体を覆うことができる。これにより、タッチパネルモジュール３は表示面１６を保護するためのカバーとして機能できる。
【００９０】
（変形例）
図１に示した実施形態では、タッチパネルモジュール３の１辺と液晶表示モジュール２の１辺とを軸線Ｓ０を中心として互いに相対回転可能に接合することにより、両者を相対的に開閉移動可能に、換言すれば、両者を折り畳み可能に構成した。このような開閉構造に代えて、図５（ａ）に示す開閉構造を採用することもできる。この開閉構造は、タッチパネルモジュール３と液晶表示モジュール２とを、表示面１６に対して直角な軸線Ｓ１に沿って設けられた連結手段としての軸部材３８を中心として矢印Ｆで示すように平面的に回転可能、すなわち旋回可能に結合させたものである。この回転により、タッチパネルモジュール３は、液晶表示モジュール２の表示面Ｖｏを覆う閉位置と、表示面Ｖｏを開放する開位置との間で開閉移動可能である。この実施形態において、入力手段としてのタッチパネル３１を開閉可能に支持する支持手段は、タッチパネル３１を収容する外装ケース３２と、液晶パネル４を収容する外装ケース４０と、軸部材３８とによって構成される。
【００９１】
また、図１に示す折り畳み式の開閉構造や、図５（ａ）に示す旋回式の開閉構造に代えて、図５（ｂ）に示す開閉構造を採用することもできる。この開閉構造は、タッチパネルモジュール３と液晶表示モジュール２とを矢印Ｇで示すように表示面１６に対して平行の方向に、平面的にスライド移動可能に結合させたものである。このスライド移動は、タッチパネルモジュール３と液晶表示モジュール２との間に設けられた任意の構造の連結手段であるスライド移動機構３９によって実現される。このスライド移動により、タッチパネルモジュール３は、液晶表示モジュール２の表示面Ｖｏを覆う閉位置と、表示面Ｖｏを開放する開位置との間で開閉移動可能である。この実施形態において、入力手段としてのタッチパネル３１を開閉可能に支持する支持手段は、タッチパネル３１を収容する外装ケース３２と、液晶パネル４を収容する外装ケース５０と、スライド移動機構３９とによって構成される。
【００９２】
（電気光学装置の第２実施形態）
図６は、本発明に係る電気光学装置の他の実施形態を示している。図１に示した先の実施形態に係る液晶表示装置１では、液晶表示モジュール２に対してタッチパネル３を開閉可能に取り付ける構造を採用した。これに対し図６に示す液晶表示装置５１は、液晶表示モジュール５２に対してタッチパネルモジュール５３を取外し可能に取り付ける構造、いわゆる着脱可能な構造を採用した。
【００９３】
以下、図６の液晶表示装置５１を、図１の液晶表示装置１と異なる点を中心に説明する。なお、図１の実施形態と同じ要素は同じ符号を付して示すことにして、その説明は省略する。図６に示す液晶表示モジュール５２の構成は図２に示した液晶表示モジュール２の構成と、ブラケット１９及びその近傍を除いて、同じとすることができる。また、図６のタッチパネルモジュール５３の構成は、図３に示したタッチパネルモジュール３の構成と、ピン３５及びその近傍を除いて、同じとすることができる。
【００９４】
図６において、液晶表示モジュール５２の外装ケース９の奥側の辺部の両端に一対の連結手段としての突部５９，５９が設けられる。また、外装ケース９の手前側の辺部のほぼ中央に同じく連結手段としての嵌合用の凹部５８が設けられる。一方、タッチパネルモジュール５３の外装ケース３２の奥側の辺部に張出し部５７が設けられ、外装ケース３２の手前側の辺部のほぼ中央に嵌合用の凸部５６が設けられる。凸部５６は、例えば爪状に形成できる。
【００９５】
突部５９と張出し部５７および凹部５８と凸部５６は、タッチパネルモジュール５３を、実線で示す離脱位置Ｐ３と鎖線で示す装着位置Ｐ４との間で着脱可能に支持する。離脱位置Ｐ３は、タッチパネルモジュール５３が液晶表示装置モジュール５２の表示面１６を覆うことなくその表示面１６を外部へ露出させる位置である。装着位置Ｐ４は、タッチパネルモジュール５３が表示面１６を覆う位置である。タッチパネルモジュール５３が離脱位置Ｐ３に置かれたとき、観察者は表示面１６に表示される像を直接に観察できる。一方、タッチパネルモジュール５３が装着位置Ｐ４に置かれたとき、観察者はそのタッチパネルモジュール５３を通して間接的に表示面１６を観察する。
【００９６】
タッチパネルモジュール５３を装着位置Ｐ４に置く際には、突部５９と張出し部５７とが嵌合する。また、この際には、凹部５８と凸部５６も嵌合する。これにより、タッチパネルモジュール５３は液晶表示モジュール５２に動かないように装着される。
【００９７】
本実施形態においても、図３に示すタッチパネル３１の配線基板３４と、図２に示すＦＰＣ基板７とを電気的に接続する必要がある。この接続は任意の導電接続方法によって達成できる。例えば、図６の突部５９に図２のＦＰＣ基板７に接続される端子を設け、図６の張出し部５７のうち突部５９に接触する部分に図４の配線基板３４に接続される端子を設けることができる。こうすれば、図６の突部５９と張出し部５７とを嵌合させたときに、液晶表示モジュール５２とタッチパネルモジュール５３とを電気的に接続できる。なお。この電気的な接続は、凹部５８に図２のＦＰＣ基板７に接続される端子を設け、図６の凸部５６に図４の配線基板３４に接続される端子を設けることによっても達成できる。
【００９８】
また、タッチパネル３１は、タッチパネルモジュール５３が図６の装着位置Ｐ４にあるとき、電力が供給されてタッチパネル３１が入力を受け付ける動作を行える状態、すなわち電源オン状態となる。一方、タッチパネルモジュール５３が離脱位置Ｐ３にあるとき、タッチパネル３１への電力の供給が遮断されてタッチパネル３１が入力を受け付ける動作を行うことができない状態、すなわち電源オフ状態となる。このように、タッチパネルモジュール５３の位置によってそのタッチパネル３１の電源オン状態と電源オフ状態の切り替えを行うようにすれば、タッチパネル３１を必要なときにのみ稼動させることができる。これにより、タッチパネル３１における電力の消費を少なくすることができる。
【００９９】
本実施形態において、入力手段としての図３のタッチパネル３１を着脱可能に支持するための支持手段は、タッチパネル３１を収容する外装ケース３２、図６の突部５９、張出し部５７、凹部５８および凸部５６によって実現されている。
【０１００】
（液晶表示装置の全体的な動作）
以下、上記構成より成る液晶表示装置５１の動作について、第１実施形態と同じく、入力及び観察モード、観察モード、不使用モードの各モード毎に個別に説明する。
【０１０１】
（入力及び観察モード）
このモードを実現しようとする場合、観察者は、図６において、タッチパネルモジュール５３を装着位置Ｐ４に置く。このとき、タッチパネル３１に電力が供給され、タッチパネル３１が電源オン状態となる。また、タッチパネルモジュール５３の入力領域Ｖｉと液晶表示モジュール５２の表示領域Ｖｏが互いに重なる位置関係となる。
【０１０２】
タッチパネルモジュール５３の入力領域Ｖｉは透光性を持っているので、入力者、すなわち観察者はタッチパネルモジュール５３を通して液晶表示モジュール２の表示を観察できる。観察者が何等かの入力操作を行う必要が生じた場合、観察者は自らの指によって、あるいは適宜の入力器具を用いて、タッチパネルモジュール５３の入力領域Ｖｉ内の所望の点状位置を押す。タッチパネルモジュール５３内のタッチパネル３１（図３参照）は押された位置をＸ−Ｙ座標内の位置として検出し、必要に応じてその検出結果を液晶表示モジュール５２のための制御回路あるいは液晶表示装置１を制御するホスト制御部へ向けて出力する。
【０１０３】
（観察モード）
このモードを実現しようとする場合、観察者は、タッチパネルモジュール５３を離脱位置Ｐ３に置く。このとき、タッチパネル３１への電力の供給が遮断され、タッチパネル３１が電源オフ状態となる。こうすると、液晶表示モジュール５２の表示面１６が大きく開放されて外部へ露出する。観察者はこの状態で表示面１６に表示される像を観察する。
【０１０４】
観察者が表示面１６を観察する場合にタッチパネルモジュール５３を装着位置Ｐ４に置いておくものとすると、液晶表示モジュール５２へ入る光がタッチパネルモジュール５３のタッチパネル３１（図３参照）で反射して観察者に視認される場合がある。こうなると、表示面１６の表示が反射光に邪魔されて見難くなるおそれがある。これに対し、上記のようにタッチパネルモジュール５３を離脱位置Ｐ３へ置いておけば、観察者はタッチパネルモジュール５３に邪魔されることなく、液晶表示モジュール５２によって実現される表示を鮮明に視認できる。
【０１０５】
（不使用モード）
液晶表示モジュール５２及びタッチパネルモジュール５３のどちらも使用しない場合、観察者は望ましくは、タッチパネルモジュール５３を装着位置Ｐ４へ置く。タッチパネルモジュール５３の全体は液晶表示モジュール５２の表示面１６よりも広い面積を有しており、タッチパネルモジュール５３が液晶表示モジュール５２に対して装着位置Ｐ４に置かれると、タッチパネルモジュール５３は表示面１６の全体を覆うことができる。これにより、タッチパネルモジュール５３は表示面１６を保護するためのカバーとして機能できる。
【０１０６】
（電気光学装置の第３実施形態）
図１０は、本発明に係る電気光学装置の他の実施形態を示している。この図に示した液晶表示装置１０１は、タッチパネル３１と平行に配置された反射偏光子９０を備えている。この点を除くと、液晶表示装置１０１は、図１に示した先の実施形態に係る液晶表示装置１と同様の構成である。
【０１０７】
以下、図１０の液晶表示装置１０１を、図１の液晶表示装置１と異なる点を中心に説明する。なお、図１の実施形態と同じ要素は同じ符号を付して示すことにして、その説明は省略する。図１０に示すように、タッチパネルモジュール１０３の液晶表示モジュール２側の表面には、入力領域Ｖｉの全体に重なる領域に、反射偏光子９０が貼り付けられている。図１１は、図１０中のＨ−Ｈ線におけるタッチパネルモジュール１０３の断面図である。この図に示すように、反射偏光子９０は、外装ケース３２の表面に貼り付けられており、入力領域Ｖｉと略平行に、すなわちタッチパネル３１と略平行になるように配置されている。
【０１０８】
反射偏光子９０は、固有の透過軸を有しており、当該反射偏光子９０に入射した光のうち、透過軸に平行な偏光成分を有する光を透過し、透過軸に直交する偏光成分を有する光を反射する光学部材である。反射偏光子９０の透過軸は、タッチパネルモジュール１０３が閉位置Ｐ２にある状態において、液晶表示パネル４の偏光板２８ａ（図２参照）の透過軸と平行になるように設定されている。
【０１０９】
（液晶表示装置の全体的な動作）
以下、上記構成より成る液晶表示装置１０１の動作について、第１実施形態と同じく、入力及び観察モード、観察モード、不使用モードの各モード毎に個別に説明する。
【０１１０】
（入力及び観察モード）
このモードを実現しようとする場合、観察者は、図１０において、タッチパネルモジュール１０３を閉位置Ｐ２に置く。このとき、タッチパネル３１に電力が供給され、タッチパネル３１が電源オン状態となる。また、タッチパネルモジュール１０３の入力領域Ｖｉと液晶表示モジュール２の表示領域Ｖｏが互いに重なる位置関係となる。このときのタッチパネルモジュール１０３の動作は、上記第１実施形態と同様である。
【０１１１】
ここで、図１２を用いて入力及び観察モードにおける表示機能について説明する。図１２は、液晶表示装置１０１の構成要素のうち、反射偏光子９０、液晶表示パネル４（特に偏光板２８ａ，２８ｂ）、照明装置６に着目し、これらの層間距離を拡大して示した模式図である。この図において、反射偏光子９０及び偏光板２８ａの表面に描かれた実線の矢印は、それぞれの透過軸を表している。
【０１１２】
図１２（ａ）は、照明装置６が発光し、液晶表示パネル４による表示が行われている状態を示している。ここで、照明装置６を始点とし、他の構成要素を透過して描かれている白抜きの矢印は、照明装置６において発光した光及び液晶表示パネル４の表示光を表す。反射偏光子９０と偏光板２８ａの透過軸が平行であることから、偏光板２８ａを透過した液晶表示パネル４の直線偏光の表示光は反射偏光子９０をそのまま透過し、観察者に視認される。一方、反射偏光子９０の表面で反射している白抜きの破線の矢印は、外光を表す。液晶表示パネル４の表示が行われているときは、その表示光が外光の反射光より強くなるため、外光の反射光は視認されにくい。以上から、図１２（ａ）の状態においては、観察者は、液晶表示装置１０１の表示領域Ｖｏにおいて液晶表示パネル４による表示を視認する。
【０１１３】
図１２（ｂ）は、照明装置６が発光せず、液晶表示パネル４による表示が行われていないときの状態を示している。このとき、観察者は液晶表示パネル４からの光を視認せず、外光の反射偏光子９０による反射光のみを視認する。したがって、図１２（ｂ）の状態においては、観察者は、液晶表示装置１０１の表示領域Ｖｏを鏡として認識する。液晶表示装置１０１のこのような状態は、本発明における「ミラーモード」に対応する。
【０１１４】
以上のように、入力及び観察モードでは、液晶表示装置１０１は、液晶表示パネル４の表示状態に応じて、液晶表示パネル４による表示を行うか、又は鏡として機能する。
【０１１５】
なお、液晶表示装置１０１を鏡として機能させるためには、照明装置６を非発光とする以外に、照明装置６を発光した上で液晶表示パネル４において黒表示等の低輝度の表示を行ってもよい。このとき、照明装置６からの光は液晶表示パネル４において大部分が遮光されるので、観察者は液晶表示パネル４からの光を視認せず、外光の反射偏光子９０による反射光のみを視認する。すなわち、液晶表示装置１０１の表示領域Ｖｏを鏡として認識する。また、液晶表示パネル４の一部の領域のみを低輝度の表示とし、その領域のみを部分的に鏡として機能させることもできる。
【０１１６】
（観察モード）
このモードを実現しようとする場合、観察者は、タッチパネルモジュール１０３を開位置Ｐ１に置く。このとき、タッチパネル３１への電力の供給が遮断され、タッチパネル３１が電源オフ状態となる。こうすると、液晶表示モジュール２の表示面１６が大きく開放されて外部へ露出する。観察者はこの状態で表示面１６に表示される像を観察する。また、開位置Ｐ１にあるタッチパネルモジュール１０３には反射偏光子９０が備えられているので、外光が当該反射偏光子９０によって反射される。このため、観察者はタッチパネルモジュール１０３を鏡として認識する。このように、観察モードにおいては、液晶表示モジュール２において表示が行われ、タッチパネルモジュール１０３は鏡として機能する。
【０１１７】
（不使用モード）
液晶表示モジュール２及びタッチパネルモジュール１０３のどちらも使用しない場合、観察者は望ましくは、タッチパネルモジュール１０３を閉位置Ｐ２へ置く。このとき、第１実施形態と同様、タッチパネルモジュール１０３は液晶表示モジュール２の表示面１６を保護するためのカバーとして機能する。さらに、タッチパネルモジュール１０３に備えられた反射偏光子９０は外光を反射するので、観察者はタッチパネルモジュール１０３を鏡として認識する。このように、液晶表示装置１０１は、不使用モードであっても鏡として使用することができる。液晶表示装置１０１のこのような状態も、本発明における「ミラーモード」に対応する。
【０１１８】
以上のように、液晶表示装置１０１は、反射偏光子９０の作用によって、いずれのモードにおいても鏡としての機能を発揮し得る。また、液晶表示モジュール２の表示の視認性を低下させる反射偏光子９０も開閉可能又は着脱可能とされているため、液晶表示モジュール２の表示面１６が反射偏光子９０に覆われていない状態で液晶表示モジュール２の表示を観察することができ、輝度の高い鮮明な表示を実現することができる。なお、こうした反射偏光子９０を用いる構成は、上述した第２実施形態においても適用可能である。
【０１１９】
（変形例１）
図１０及び図１１に示した液晶表示装置１０１は、タッチパネルモジュール１０３の液晶表示モジュール２側の表面に反射偏光子９０を備えるものであるが、これに代えて以下のような構成とすることもできる。
【０１２０】
図１３から図１５に、本実施形態の変形例に係る液晶表示装置のタッチパネルモジュールの断面図を示す。図１３に示すタッチパネルモジュール１０３Ａは、タッチパネル３１の後基板４２と、第２外装ケース３２ｂとの間に反射偏光子９０を備えている。図１４に示すタッチパネルモジュール１０３Ｂは、タッチパネル３１の後基板４２と、面電極４４ｂとの間に反射偏光子９０を備えている。図１５に示すタッチパネルモジュール１０３Ｃは、反射偏光子９０がタッチパネル３１の前基板を兼ねる構成のものである。すなわち、第１外装ケース３２ａと面電極４４ａとの間に反射偏光子９０が配置されている。
【０１２１】
タッチパネル３１の構成要素はすべて透光性を有しているので、上記の構成のいずれをとっても、反射偏光子９０には外光及び液晶表示パネル４からの表示光が入射し、その偏光に応じて透過又は反射される。このため、これらの変形例の構成によっても、上述の実施形態と同様、鏡としての機能を有する液晶表示装置が得られる。また、これらの構成によれば、反射偏光子９０がタッチパネルモジュール１０３の外装ケース３２の内部に配置されるため、反射偏光子９０が露出することがないので、反射偏光子９０が損傷を受けるのを防ぐことができる。特に、図１４に示すタッチパネルモジュール１０３Ｂの構成によれば、反射偏光子９０が後基板４２の内側に配置され、かつ操作時に変形する面電極４４ａ等にも接していないため、より確実に反射偏光子９０を保護することができる。
【０１２２】
（変形例２）
図１６及び図１７に、本実施形態の他の変形例に係る液晶表示装置１１１を示す。図１６は、液晶表示装置１１１の断面図、図１７は、液晶表示装置１１１における操作を説明するための斜視図である。液晶表示装置１１１は、上記実施形態における液晶表示装置１０１と同様に、軸線Ｓ０を中心としてタッチパネルモジュール１１３を開位置Ｐ１と閉位置Ｐ２との間で回転移動させることができる。この液晶表示装置１１１のタッチパネルモジュール１１３の表面には、円形の反射偏光子９０がその平面内で回動可能に設けられている。また、この反射偏光子９０には、レバー９２が取り付けられており、このレバー９２が、外装ケース３２の側面に形成されたスリット９３から外部に突出されている。なお、スリット９３は、外装ケース３２の上部から一側部にかけて平面視で約９０°にわたって形成されている。そして、レバー９２を把持してスリット９３内を移動させることにより、反射偏光子９０を約９０°の範囲にて回動させることができる。
【０１２３】
ここで、上記構成の液晶表示装置１１１の、入力及び観察モードにおける動作について説明する。このモードを実現しようとする場合、観察者は、タッチパネルモジュール１１３を閉位置Ｐ２に置く。この状態でレバー９２を操作すると、反射偏光子９０を回動させることができる。当該回動動作によって反射偏光子９０の透過軸と液晶表示パネル４の偏光板２８ａの透過軸とを平行にした場合、液晶表示装置１１１は、図１８（ａ）の模式図に示すように、上記実施形態の液晶表示装置１０１における入力及び観察モードの動作と同様に動作する。すなわち、液晶表示パネル４が表示を行っているときは当該表示を行い、液晶表示パネル４が表示を行わないか又は低輝度の表示を行っている場合は鏡として機能する。
【０１２４】
一方、レバー９２を操作して、反射偏光子９０の透過軸と偏光板２８ａの透過軸とを直交させた場合、液晶表示装置１１１は、図１８（ｂ）の模式図に示すように、常に鏡として動作する。すなわち、液晶表示パネル４が表示を行っているか否かに関わらず、偏光板２８ａを透過した直線偏光の光は反射偏光子９０によって反射されるので、観察者からは液晶表示パネル４の表示は視認されない。したがって、観察者は反射偏光子９０による外光の反射光のみを視認する。すなわち、液晶表示装置１１１は鏡として機能する。
【０１２５】
このように、本変形例の液晶表示装置１１１によれば、入力及び観察モードにおいて、レバー９２を操作することにより、表示を行うことが可能な状態と、表示を遮断して鏡としてのみ機能する状態とを任意に切り替えることができる。これにより、液晶表示パネル４の表示のオン、オフ等を切り替えることなく極めて容易な操作により通常表示と鏡状態との切り替えを行うことができる。
【０１２６】
また、反射偏光子９０の透過軸を偏光板２８ａの透過軸に対して平行と直交との間の途中の角度にすることにより、液晶表示パネル４の表示を行いつつ鏡状態を生じさせることもできる。なお、このときの表示度合の比率は、反射偏光子９０の透過軸の偏光板２８ａの透過軸に対する角度によって自由に調整することが可能である。
【０１２７】
なお、観察モード及び不使用モードにおける液晶表示装置１１１の動作は、上記実施形態の液晶表示装置１０１と同様である。すなわち、観察モードにおいては、液晶表示モジュール２において表示が行われ、タッチパネルモジュール１１３は鏡として機能する。また、不使用モードにおいてはタッチパネルモジュール１１３が鏡として機能する。
【０１２８】
上記の変形例では、反射偏光子９０自体を回動させる構造としたが、例えば、タッチパネルモジュール１１３にカバーガラスを回動可能に設け、このカバーガラスに反射偏光子９０を貼り付けても良い。また、反射偏光子９０を手動で回動させる構造としたが、この反射偏光子９０を電動で回動させても良い。
【０１２９】
（電気光学装置のその他の実施形態）
以上、好ましい実施形態を挙げて本発明を説明したが、本発明はその実施形態に限定されるものでなく、請求の範囲に記載した発明の範囲内で種々に改変できる。上記の第１実施形態および第２実施形態では、図１または図６に示すように、タッチパネルモジュール３，５３は液晶表示モジュール２，５２の第１外装ケース９ａ（図２参照）に取り付けられている。しかしながら、タッチパネルモジュール３，５３は、液晶表示モジュール２，５２のフレーム８（図２参照）に取り付けることもできる。
【０１３０】
また、上記の実施形態では、電気光学装置としての液晶表示装置に本発明を適用した場合を例示した。しかしながら、本発明は、液晶表示装置以外の電気光学装置、例えば、有機ＥＬ装置、無機ＥＬ装置、プラズマディスプレイ装置（ＰＤＰ：Plasma Display）、電気泳動ディスプレイ（ＥＰＤ：Electrophoretic Display）、フィールドエミッションディスプレイ装置（ＦＥＤ：Field Emission Display：電界放出表示装置）にも適用できる。
【０１３１】
（電子機器の第１実施形態）
以下、本発明に係る電子機器を実施形態を挙げて説明する。なお、この実施形態は本発明の一例を示すものであり、本発明はこの実施形態に限定されるものではない。
【０１３２】
図７は、本発明に係る電子機器の一実施形態をブロック図で示している。また、図８は、図７のブロック図で示す電子機器の一例である携帯情報端末機７０を示している。図７に示す電子機器は、液晶表示装置６１と、これを制御する制御回路６０とを有する。制御回路６０は、表示情報出力源６４、表示情報処理回路６６、電源回路６７及びタイミングジェネレータ６８によって構成される。そして、液晶表示装置６１は、液晶パネル６２及び駆動回路６５を備えた液晶表示モジュール７１と、タッチパネル６３を備えたタッチパネルモジュール７２とを有する。
【０１３３】
表示情報出力源６４は、ＲＯＭ（Read Only Memory）やＲＡＭ（Random Access Memory）等といったメモリや、各種ディスク等といったストレージユニットや、ディジタル画像信号を同調出力する同調回路等を備え、タイミングジェネレータ６８により生成される各種のクロック信号に基づいて、所定フォーマットの画像信号等といった表示情報を表示情報処理回路６６に供給する。
【０１３４】
次に、表示情報処理回路６６は、増幅・反転回路や、ローテーション回路や、ガンマ補正回路や、クランプ回路等といった周知の各種回路を備え、入力した表示情報の処理を実行して、画像信号をクロック信号ＣＬＫと共に駆動回路６５へ供給する。ここで、駆動回路６５は、走査線駆動回路やデータ線駆動回路と共に、検査回路等を総称したものである。また、電源回路６７は、上記の各構成要素に所定の電源電圧を供給する。
【０１３５】
図７のブロック図に示した電子機器は、例えば、図８（ａ）および図８（ｂ）に示した携帯情報端末機７０として構成される。この携帯情報端末機７０では、液晶表示モジュール７１を筐体の内側に備えた本体部７３と、タッチパネル６３を備えたタッチパネルモジュール７２とがヒンジ部７４において開閉可能に支持されている。このヒンジ部７４は、例えば、液晶表示モジュール７１に設けられ、本体部７３から外部へ露出したブラケット７５と、タッチパネルモジュール７２に設けられたピン（図示せず）とによって構成されている。図８（ａ）はタッチパネルモジュール７２を開位置に置いた開状態を示しており、図８（ｂ）はタッチパネルモジュール７２を閉位置に置いた閉状態を示している。
【０１３６】
ここで、タッチパネルモジュール７２を用いて入力操作を行うか行わないかは、タッチパネルモジュール７２を開閉することによって切替えられる。このため、図７に示すように、この電子機器には、タッチパネルモジュール７２の開閉状態を検出する開閉検出回路６９が含まれる。
【０１３７】
図８の携帯情報端末機７０において、タッチパネルモジュール７２を用いて入力操作を行う場合には、図８（ａ）の開位置から図８（ｂ）の閉位置へタッチパネルモジュール７２を移動させる。こうすると、図７の開閉検出回路６９によってタッチパネルモジュール７２の閉状態が検出され、タッチパネル６３が動作して、例えば図８（ｂ）の入力用ペン７８によって入力面７９において入力操作が可能になる。
【０１３８】
一方、タッチパネルモジュール７２を用いて入力を行わない場合には、図８（ｂ）の閉位置から図８（ａ）の開位置へタッチパネルモジュール７２を移動させる。こうすると、図７の開閉検出回路６９によってタッチパネルモジュール７２の開状態が検出され、タッチパネル６３の動作が終了する。なお、この携帯情報端末機７０における入力操作は、タッチパネル６３以外にも、本体部７３に設けられた入力用ボタン７６を用いて行うことができる。
【０１３９】
図７の液晶表示装置６１は、例えば、図１に示した液晶表示装置１を用いて構成できる。液晶表示装置１においては、タッチパネル３１を液晶パネル４に対して開状態に置けば、液晶パネル４の表示面１６を外部へ開放でき、その表示面１６に形成される表示を見易くできる。従って、この液晶表示装置１を用いた図８に示す携帯情報端末機７０においても、タッチパネル６３を図８（ａ）の開状態に置くことにより、液晶パネル６２の表示面７７に形成される表示を見易くできる。
【０１４０】
また、図１の液晶表示装置１は、タッチパネル３１を開状態Ｐ１に置くことによってそのタッチパネル３１のメンテナンス作業を容易に行うことができるようになっている。従って、この液晶表示装置１を用いた図８の携帯情報端末機７０においても、タッチパネル６３を図８（ａ）の開状態に置くことにより、メンテナンス作業を容易に行うことができる。
【０１４１】
（電子機器の第２実施形態）
図９は、本発明に係る電子機器の他の実施形態である携帯情報端末機８０を示している。この携帯情報端末機８０は、図７においてブロック図で示す電子機器の他の一例である。図８に示した先の実施形態である携帯情報端末機７０では、本体部７３に対してタッチパネルモジュール７２を開閉可能に取り付ける構造を採用した。これに対し図９に示す携帯情報端末機８０は、液晶表示モジュール８１を含む本体部８３に対してタッチパネルモジュール８２を取外し可能に取り付ける構造、いわゆる着脱可能な構造を採用した。
【０１４２】
以下、図９の携帯情報端末機８０を、図８の携帯情報端末機７０と異なる点を中心に説明する。なお、図８の実施形態と同じ要素は同じ符号を付して示すことにして、その説明は省略する。図９に示す本体部８３の構成は図８に示した本体部７３の構成と、ブラケット７５及びその近傍を除いて、同じとすることができる。また、図９のタッチパネルモジュール８２の構成は、図８に示したタッチパネルモジュール７２の構成と、ピン及びその近傍を除いて、同じとすることができる。
【０１４３】
図９において、本体部８３の奥側の辺部の両端に一対の突部８４，８４が設けられる。また、本体部８３の手前側の辺部の略中央に嵌合用の凹部８７が設けられる。一方、タッチパネルモジュール８２の奥側の辺部に張出し部８５が設けられ、手前側の辺部の略中央に嵌合用の、例えば爪状の凸部８９が設けられる。突部８４と張出し部８５および凹部８７と凸部８９は、タッチパネルモジュール８２を、図９（ａ）の離脱位置と図９（ｂ）の装着位置の間で着脱可能に支持している。
【０１４４】
ここで、タッチパネルモジュール８２を用いて入力操作を行うか行わないかは、タッチパネルモジュール８２を着脱することによって切替えられる。このタッチパネルモジュール８２の装着状態および離脱状態の検出は、図７に示す開閉検出回路６９によって行われる。
【０１４５】
図９の携帯情報端末機８０において、タッチパネルモジュール８２を用いて入力操作を行う場合には、図９（ａ）の離脱位置から図９（ｂ）の装着位置へタッチパネルモジュール８２を移動させる。こうすると、図７の開閉検出回路６９によってタッチパネルモジュール８２の装着状態が検出され、タッチパネル６３が動作して、例えば図９（ｂ）の入力用ペン８８によって入力面７９において入力操作を行うことが可能になる。
【０１４６】
一方、タッチパネルモジュール８２を用いた入力を行わない場合には、図９（ｂ）の装着位置から図９（ａ）の離脱位置へタッチパネルモジュール８２を移動させる。こうすると、図７の開閉検出回路６９によってタッチパネルモジュール８２の離脱状態が検出され、タッチパネル６３の動作が終了する。なお、この携帯情報端末機８０における入力操作は、タッチパネル６３以外にも、本体部８３に設けられた入力用ボタン８６を用いて行うことができる。
【０１４７】
図７の液晶表示装置６１は、例えば、図６に示した液晶表示装置５１を用いて構成できる。液晶表示装置５１においては、タッチパネル３１を液晶パネル４から取り外した状態Ｐ３に置けば、液晶パネル４の表示面１６を外部へ開放でき、その表示面１６に形成される表示を見易くできる。従って、この液晶表示装置５１を用いた図９に示す携帯情報端末機８０においても、タッチパネル６３を図９（ａ）の取り外し状態に置くことにより、液晶パネル６２の表示面７７に形成される表示を見易くできる。
【０１４８】
また、図６の液晶表示装置５１は、タッチパネル３１を取外し状態Ｐ３に置くことによってそのタッチパネル３１のメンテナンス作業を容易に行うことができるようになっている。従って、この液晶表示装置５１を用いた図９に示す携帯情報端末機８０においても、タッチパネル６３を図９（ｂ）の取外し状態に置くことにより、メンテナンス作業を容易に行うことができる。
【０１４９】
（電子機器のその他の実施形態）
以上、好ましい実施形態を挙げて本発明を説明したが、本発明はその実施形態に限定されるものでなく、請求の範囲に記載した発明の範囲内で種々に改変できる。例えば、上記の第１実施形態では、図１に示すように液晶表示モジュール２に対してタッチパネルモジュール３を開閉可能に設けた液晶表示装置１を用いて、図８の携帯情報端末機７０を形成した。しかしながら、第１実施形態において、図８の携帯情報端末機７０は、本体部７３を形成する筐体にヒンジ部を形成し、そのヒンジ部にタッチパネルモジュール７２を開閉可能に設けても良い。
【０１５０】
また、第１実施形態において、液晶表示装置１に代えて、反射偏光子９０を備えた液晶表示装置１０１を備える構成とすることもできる。こうした構成の携帯情報端末機１２０の斜視図を図１９に示す。この図に示すように、携帯情報端末機１２０は、タッチパネルモジュール７２に貼り付けられた反射偏光子９０を有している。このため、上記携帯情報端末機１２０によれば、液晶表示モジュール７１によって表示を行うことができるとともに、タッチパネルモジュール７２を鏡として機能させることもできる。
【０１５１】
また、上記の第２実施形態では、図６に示すように液晶表示モジュール５２に対してタッチパネルモジュール５３を着脱可能に設けた液晶表示装置５１を用いて、図９の携帯情報端末機８０を形成した。しかしながら、第２実施形態において、図９の携帯情報端末機８０は、本体部８３を形成する筐体に突部８４を形成し、その突部８４に対してタッチパネルモジュール８２を着脱可能に設けることもできる。
【０１５２】
また、上記の第２実施形態では、本体部８３に対してタッチパネルモジュール８２を、突部８４と張出し部８５及び凹部８７と凸部８９を用いて着脱可能に取り付ける方法を例示した。しかしながら、本発明は他の方法によって本体部８３にタッチパネルモジュール８２を着脱可能に取り付けることもできる。例えば、タッチパネルモジュール８２に磁石を設けて本体部８３に固定しても良い。
【０１５３】
また、上記第２実施形態及びその変形例のいずれにおいても、タッチパネルモジュール５３，８２に反射偏光子９０を取り付けた構成とすることもできる。こうした構成によれば、携帯情報端末機８０に鏡としての機能を付加することができる。
【０１５４】
また、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【０１５５】
【図１】本発明に係る電気光学装置の一実施形態を示す斜視図。
【図２】図１の電気光学装置で用いられる液晶表示モジュールの一例を分解状態で示す斜視図。
【図３】図１の電気光学装置で用いられるタッチパネルモジュールの一例を分解状態で示す斜視図。
【図４】図３のＣ−Ｃ線に従った断面図。
【図５】本発明に係る電気光学装置の他の実施形態を示す斜視図であり、（ａ）は旋回開閉方式を示し、（ｂ）はスライド開閉方式を示している。
【図６】本発明に係る電気光学装置の他の実施形態を示す斜視図。
【図７】本発明に係る電子機器の一実施形態を示すブロック図。
【図８】図７に示す電子機器の外観を示す図であって、（ａ）は入力手段が開いた状態を示し、（ｂ）は入力手段が閉じた状態を示している。
【図９】図７に示す電子機器の他の外観を示す図であって、（ａ）は入力手段が離脱した状態を示し、（ｂ）は入力手段が装着された状態を示している。
【図１０】本発明に係る電気光学装置の一実施形態を示す斜視図。
【図１１】図１０の電気光学装置で用いられるタッチパネルモジュールのＨ−Ｈ線に従った断面図。
【図１２】（ａ）及び（ｂ）は、本発明に係る電気光学装置の表示機能を説明するための模式図。
【図１３】本発明に係る電気光学装置の一実施形態で用いられるタッチパネルモジュールの断面図。
【図１４】本発明に係る電気光学装置の一実施形態で用いられるタッチパネルモジュールの断面図。
【図１５】本発明に係る電気光学装置の一実施形態で用いられるタッチパネルモジュールの断面図。
【図１６】本発明に係る電気光学装置の一実施形態を示す断面図。
【図１７】図１６の電気光学装置における操作を説明するための斜視図。
【図１８】（ａ）及び（ｂ）は、図１６に係る電気光学装置の表示機能を説明するための模式図。
【図１９】本発明に係る電子機器の一実施形態を示す斜視図。
【符号の説明】
【０１５６】
１，５１，１０１，１１１…液晶表示装置（電気光学装置）、２，５２…液晶表示モジュール（電気光学モジュール）、３，５３，１０３，１１３…タッチパネルモジュール、４…液晶パネル（電気光学パネル）、５…駆動用ＩＣ、６…照明装置、７…ＦＰＣ基板（配線基板）、８…フレーム、９，４０，５０…外装ケース、９ａ…第１外装ケース、９ｂ…第２外装ケース、１１…ＬＥＤ、１２…導光体、１３…光反射層、１４…光拡散層、１６…表示面、１７…第１外装ケースの開口、１９…ブラケット、２１…第１基板、２２…第２基板、２３…シール材、２４…液晶層、２７ａ，２７ｂ…位相差板、２８ａ，２８ｂ…偏光板、３１…タッチパネル（入力手段）、３２…外装ケース、３２ａ…第１外装ケース、３２ｂ…第２外装ケース、３４…配線基板、３５…ピン（軸部材）、３５ａ…軸端子（第１端子）、３６…入力面、３７…穴、３７ａ…穴端子（第２端子）、３８…軸部材（連結手段）、４１…前基板、４２…後基板、４３…接着材、４４ａ，４４ｂ…面電極、４５ａ，４５ｂ…低抵抗電極、４６…突起、４７…外部接続用端子、４９…ヒンジ部（連結手段）、５６…凸部、５７…張出し部、５８…凹部、５９…突部、６０…制御回路、６１…液晶表示装置（電気光学装置）、６２…液晶パネル（電気光学パネル）、６３…タッチパネル、６５…駆動回路、７０，８０，１２０…携帯情報端末機（電子機器）、７１，８１…液晶表示モジュール、７２，８２…タッチパネルモジュール（入力手段）、７３，８３…本体部、７４…ヒンジ部、７７…表示画面、７６，８６…操作ボタン、７９…入力面、７８，８８…入力用ペン、９０…反射偏光子、Ｐ１…開位置、Ｐ２…閉位置、Ｐ３…離脱位置、Ｐ４…装着位置、Ｓ０，Ｓ１…軸線、Ｖｏ…表示領域、Ｖｉ…入力領域。
【図１】
2006277739.tif 000003
【図２】
2006277739.tif 000004
【図３】
2006277739.tif 000005
【図４】
2006277739.tif 000006
【図５】
2006277739.tif 000007
【図６】
2006277739.tif 000008
【図７】
2006277739.tif 000009
【図８】
2006277739.tif 000010
【図９】
2006277739.tif 000011
【図１０】
2006277739.tif 000012
【図１１】
2006277739.tif 000013
【図１２】
2006277739.tif 000014
【図１３】
2006277739.tif 000015
【図１４】
2006277739.tif 000016
【図１５】
2006277739.tif 000017
【図１６】
2006277739.tif 000018
【図１７】
2006277739.tif 000019
【図１８】
2006277739.tif 000020
【図１９】
2006277739.tif 000021